(57)【要約】  時間とコストを大幅に抑えつつ効率良く、高い精度で、家形データに対して住所情報等の有用な情報を付与する。  地図情報処理装置は、複数の建造物又は土地区画のうち一の前記建造物又は土地区画に対応する形状座標情報を選択し、前記選択された形状座標情報に基づいて、当該形状座標情報に対応する建造物又は土地区画に最も近い道路リンクを特定し、前記特定された道路リンクに対応する道路リンク情報が有するハウスナンバーレンジ情報を取得し、前記選択された形状座標情報により表される前記建造物又は土地区画の平面的外形の輪郭上又は当該輪郭内の所定地点から前記特定された道路リンクに対して引かれた垂線と当該道路リンクとが交わる地点のハウスナンバーを、前記取得されたハウスナンバーレンジ情報に基づいて算出し、前記算出されたハウスナンバーに基づいて、前記選択された形状座標情報に付与すべきハウスナンバーを決定する。
2010092680.tif 000002
【特許請求の範囲】
【請求項１】
ハウスナンバーのレンジを示すハウスナンバーレンジ情報を有する道路リンク情報を含んで構成される第一の地図データと、建造物又は土地区画の平面的外形を表すための座標群を示す形状座標情報を含んで構成される第二の地図データと、を読み込む読込手段と、
複数の前記建造物又は土地区画のうち一の前記建造物又は土地区画に対応する前記形状座標情報を選択する選択手段と、
前記選択された形状座標情報に基づいて、当該形状座標情報に対応する建造物又は土地区画に最も近い道路リンクを特定する道路リンク特定手段と、
前記特定された道路リンクに対応する前記道路リンク情報が有するハウスナンバーレンジ情報を取得するハウスナンバーレンジ情報取得手段と、
前記選択された形状座標情報により表される前記建造物又は土地区画の平面的外形の輪郭上又は当該輪郭内の所定地点から前記特定された道路リンクに対して引かれた垂線と当該道路リンクとが交わる地点のハウスナンバーを、前記取得されたハウスナンバーレンジ情報に基づいて算出するハウスナンバー算出手段と、
前記算出されたハウスナンバーに基づいて、前記選択された形状座標情報に付与すべきハウスナンバーを決定するハウスナンバー決定手段と、
を備えることを特徴とする地図情報処理装置。
【請求項２】
請求項１に記載の地図情報処理装置において、
前記第一の地図データには、ＰＯＩ（Point Of Interest）の名称及びハウスナンバーを含むＰＯＩ情報が含まれており、
前記特定された道路リンクに対応する前記道路リンク情報に関連付けられた前記ＰＯＩ情報に含まれるハウスナンバーを取得するＰＯＩハウスナンバー取得手段を更に備え、
前記ハウスナンバー決定手段は、前記算出されたハウスナンバーと、前記取得されたハウスナンバーとに基づいて、前記算出されたハウスナンバーを補正し、補正したハウスナンバーを、前記選択された形状座標情報に付与すべきハウスナンバーとして決定することを特徴とする地図情報処理装置。
【請求項３】
請求項２に記載の地図情報処理装置において、
前記選択された形状座標情報と、前記決定されたハウスナンバーを含むＰＯＩ情報と、を関連付ける関連付け情報を生成する関連付け情報生成手段を備えることを特徴とする地図情報処理装置。
【請求項４】
ハウスナンバーのレンジを示すハウスナンバーレンジ情報を有する道路リンク情報を含んで構成される第一の地図データと、建造物又は土地区画の平面的外形を表すための座標群を示す形状座標情報を含んで構成される第二の地図データと、を読み込む工程と、
複数の前記建造物又は土地区画のうち一の前記建造物又は土地区画に対応する前記形状座標情報を選択する工程と、
前記選択された形状座標情報に基づいて、当該形状座標情報に対応する建造物又は土地区画に最も近い道路リンクを特定する工程と、
前記特定された道路リンクに対応する前記道路リンク情報が有するハウスナンバーレンジ情報を取得する工程と、
前記選択された形状座標情報により表される前記建造物又は土地区画の平面的外形の輪郭上又は当該輪郭内の所定地点から前記特定された道路リンクに対して引かれた垂線と当該道路リンクとが交わる地点のハウスナンバーを、前記取得されたハウスナンバーレンジ情報に基づいて算出する工程と、
前記算出されたハウスナンバーに基づいて、前記選択された形状座標情報に付与すべきハウスナンバーを決定する工程と、
を備えることを特徴とする地図情報処理方法。
【請求項５】
コンピュータを、
ハウスナンバーのレンジを示すハウスナンバーレンジ情報を有する道路リンク情報を含んで構成される第一の地図データと、建造物又は土地区画の平面的外形を表すための座標群を示す形状座標情報を含んで構成される第二の地図データと、を読み込む読込手段、
複数の前記建造物又は土地区画のうち一の前記建造物又は土地区画に対応する前記形状座標情報を選択する選択手段、
前記選択された形状座標情報に基づいて、当該形状座標情報に対応する建造物又は土地区画に最も近い道路リンクを特定する道路リンク特定手段、
前記特定された道路リンクに対応する前記道路リンク情報が有するハウスナンバーレンジ情報を取得するハウスナンバーレンジ情報取得手段、
前記選択された形状座標情報により表される前記建造物又は土地区画の平面的外形の輪郭上又は当該輪郭内の所定地点から前記特定された道路リンクに対して引かれた垂線と当該道路リンクとが交わる地点のハウスナンバーを、前記取得されたハウスナンバーレンジ情報に基づいて算出するハウスナンバー算出手段、及び
前記算出されたハウスナンバーに基づいて、前記選択された形状座標情報に付与すべきハウスナンバーを決定するハウスナンバー決定手段として機能させることを特徴とする地図情報処理プログラム。
【請求項６】
請求項５に記載の地図編集プログラムがコンピュータ読み取り可能に記録されていることを特徴とする記録媒体。
【発明の詳細な説明】
【技術分野】
【０００１】
本願は、ユーザに提供するための地図情報を処理する地図情報処理装置等に関する。
【背景技術】
【０００２】
近年、インターネット等のネットワーク上における地図情報提供サイト（サーバ）からクライアント端末に地図データを提供する地図情報提供システムが世界中で知られている。日本国の地図情報提供サイトから提供される日本国内の地図データは、諸外国に比べ非常に整備されている。例えば、日本国内の地図データには家形データが含まれるが、特許文献１に開示されるように、家形データには、名称データ、種別データ、隣接道路データ、及び住所データ等の情報が関連付けられている。
【特許文献１】特開平０９−１５２８３１号公報
【発明の開示】
【発明が解決しようとする課題】
【０００３】
ところで、諸外国、例えば、米国の地図情報提供サイトから提供される米国内の地図データには家形データが含まれるものが知られているが、上述した日本国内の地図データとは異なり、当該家形データには住所データ（住所情報）を含む有用な情報が関連付けられていないため、ユーザに提供できる情報が十分ではなく、また、住所入力により特定の家形データを検索することもできない。したがって、このような地図データにおける家形データにも、住所情報等の有用な情報を関連付けることが望まれる。【０００４】
しかしながら、このような地図データにおける家形データ一つ一つに対して住所情報等を付与するためには、現地調査及び付与作業等に膨大な時間とコストを必要とするという問題がある。特に、米国のように面積が広い地図ではかかる問題が顕著に現れる。【０００５】
そこで、本願は、このような問題の解消を一つの課題とし、その目的の一例は、時間とコストを大幅に抑えつつ効率良く、家形データに対して住所情報等の有用な情報を付与することが可能な地図情報処理装置、地図情報処理方法、地図情報処理プログラム、及び記録媒体を提供することにある。
【課題を解決するための手段】
【０００６】
上記課題を解決するために、請求項１に記載の地図情報処理装置は、ハウスナンバーのレンジを示すハウスナンバーレンジ情報を有する道路リンク情報を含んで構成される第一の地図データと、建造物又は土地区画の平面的外形を表すための座標群を示す形状座標情報を含んで構成される第二の地図データと、を読み込む読込手段と、複数の前記建造物又は土地区画のうち一の前記建造物又は土地区画に対応する前記形状座標情報を選択する選択手段と、前記選択された形状座標情報に基づいて、当該形状座標情報に対応する建造物又は土地区画に最も近い道路リンクを特定する道路リンク特定手段と、前記特定された道路リンクに対応する前記道路リンク情報が有するハウスナンバーレンジ情報を取得するハウスナンバーレンジ情報取得手段と、前記選択された形状座標情報により表される前記建造物又は土地区画の平面的外形の輪郭上又は当該輪郭内の所定地点から前記特定された道路リンクに対して引かれた垂線と当該道路リンクとが交わる地点のハウスナンバーを、前記取得されたハウスナンバーレンジ情報に基づいて算出するハウスナンバー算出手段と、前記算出されたハウスナンバーに基づいて、前記選択された形状座標情報に付与すべきハウスナンバーを決定するハウスナンバー決定手段と、を備えることを特徴とする。【０００７】
請求項４に記載の地図情報処理方法は、ハウスナンバーのレンジを示すハウスナンバーレンジ情報を有する道路リンク情報を含んで構成される第一の地図データと、建造物又は土地区画の平面的外形を表すための座標群を示す形状座標情報を含んで構成される第二の地図データと、を読み込む工程と、複数の前記建造物又は土地区画のうち一の前記建造物又は土地区画に対応する前記形状座標情報を選択する工程と、前記選択された形状座標情報に基づいて、当該形状座標情報に対応する建造物又は土地区画に最も近い道路リンクを特定する工程と、前記特定された道路リンクに対応する前記道路リンク情報が有するハウスナンバーレンジ情報を取得する工程と、前記選択された形状座標情報により表される前記建造物又は土地区画の平面的外形の輪郭上又は当該輪郭内の所定地点から前記特定された道路リンクに対して引かれた垂線と当該道路リンクとが交わる地点のハウスナンバーを、前記取得されたハウスナンバーレンジ情報に基づいて算出する工程と、前記算出されたハウスナンバーに基づいて、前記選択された形状座標情報に付与すべきハウスナンバーを決定する工程と、を備えることを特徴とする。【０００８】
請求項５に記載の地図情報処理プログラムは、コンピュータを、ハウスナンバーのレンジを示すハウスナンバーレンジ情報を有する道路リンク情報を含んで構成される第一の地図データと、建造物又は土地区画の平面的外形を表すための座標群を示す形状座標情報を含んで構成される第二の地図データと、を読み込む読込手段、複数の前記建造物又は土地区画のうち一の前記建造物又は土地区画に対応する前記形状座標情報を選択する選択手段、  前記選択された形状座標情報に基づいて、当該形状座標情報に対応する建造物又は土地区画に最も近い道路リンクを特定する道路リンク特定手段、前記特定された道路リンクに対応する前記道路リンク情報が有するハウスナンバーレンジ情報を取得するハウスナンバーレンジ情報取得手段、前記選択された形状座標情報により表される前記建造物又は土地区画の平面的外形の輪郭上又は当該輪郭内の所定地点から前記特定された道路リンクに対して引かれた垂線と当該道路リンクとが交わる地点のハウスナンバーを、前記取得されたハウスナンバーレンジ情報に基づいて算出するハウスナンバー算出手段、及び  前記算出されたハウスナンバーに基づいて、前記選択された形状座標情報に付与すべきハウスナンバーを決定するハウスナンバー決定手段として機能させることを特徴とする。
【図面の簡単な説明】
【０００９】
【図１】本実施形態における地図情報処理装置の概要構成例を示す図である。
【図２】建造物、土地区画、及び道路の一例を表したイメージ図である。
【図３】（Ａ）は、形状座標情報のデータ構造の一例を示す図であり、図３（Ｂ）は、家形の一例を示す図である。
【図４】道路リンク及びＰＯＩのイメージを表した概念図である。
【図５】演算処理部２の地図情報処理の一例を示すフローチャートである。
【図６】地図情報処理の過程を分かり易く説明するためのイメージ図である。
【図７】地図情報処理の過程を分かり易く説明するためのイメージ図である。
【図８】地図情報処理の過程を分かり易く説明するためのイメージ図である。
【符号の説明】
【００１０】
１  記憶部
２  演算処理部
２ａ  地図データ読込部
２ｂ  処理対象選択部
２ｃ  道路リンク特定部
２ｄ  ハウスナンバーレンジ取得部
２ｅ  ＰＯＩハウスナンバー取得部
２ｆ  ハウスナンバー算出部
２ｇ  ハウスナンバー決定部
２ｈ  関連付け情報生成部
３  操作部
４  表示部
Ｓ  地図情報処理装置
【発明を実施するための最良の形態】
【００１１】
以下、本願の実施形態について添付図面を参照して説明する。【００１２】
先ず、本実施形態における地図情報処理装置の構成及び機能について図１等を参照して説明する。【００１３】
図１は、本実施形態における地図情報処理装置の概要構成例を示す図である。【００１４】
図１に示すように、地図情報処理装置Ｓは、ハードディスクドライブ等を備える記憶部１と、ＣＰＵ，ＲＡＭ，ＲＯＭ等を備える演算処理部２と、ユーザからの指示を受け付けるマウス及びキーボード等を備える操作部３と、ディスプレイを備える表示部４と、を備えて構成されている。【００１５】
記憶部１には、第一の地図データ（以下、「地図データＭ１」と称する）及び第二の地図データ（以下、「地図データＭ２」と称する）が記憶されている。また、記憶部１には、関連付け情報を登録するための関連付け情報データベース１１が構築されている。【００１６】
先ず、地図データＭ１について説明する。【００１７】
地図データＭ１は、道路リンクデータ（道路リンク情報の一例）、及びＰＯＩ（Point of interest）データ（ＰＯＩ情報の一例）を含んで構成される。【００１８】
道路リンクデータは、道路種別，リンク種別，規制，Street名称，ハウスナンバーレンジ等を持つデータと、道路リンクＩＤと、を含む。【００１９】
ここで、道路リンクデータは、道路リンク毎に設定され、各道路リンクデータは、ユニークな道路リンクＩＤにより識別される。なお、道路リンクは道路を構成する要素であり、各道路リンクは、例えば、道路の分岐点（連結点）となるノードで分かれる。また、道路リンクデータは、道路リンクにおける２つのノードの座標情報を有する。この座標情報は例えば経度及び緯度で表される。【００２０】
また、ハウスナンバーレンジは、建物に対して割り当てることができるハウスナンバーのレンジを示す情報である。ハウスナンバーは、住所情報の一つとして用いられる。【００２１】
次に、ＰＯＩデータは、施設（例えば、レストラン、ショッピングモール、ガソリンスタンド等）等のＰＯＩの名称，ジャンル（カテゴリー），ブランド情報，Street名称，ハウスナンバー等を持つテキストデータと、ＰＯＩの位置を点として表すためのＰＯＩ座標を示すＰＯＩ座標情報と、ＰＯＩＩＤと、を含む。【００２２】
ここで、ＰＯＩデータはＰＯＩ毎に設定され、各ＰＯＩデータはユニークなＰＯＩＩＤにより識別される。【００２３】
また、ＰＯＩデータは、道路リンクデータに関連付けられる。例えば、あるＰＯＩのＰＯＩデータは、当該ＰＯＩの近傍の道路リンクの道路リンクデータに関連付けられる。かかる関連付けは、例えば、互いのＩＤ又はStreet名称により行われる。【００２４】
また、ＰＯＩ座標情報で示されるＰＯＩ座標は、例えば経度及び緯度で表される。このＰＯＩ座標は、精度が高いものから低いものまで様々である。【００２５】
図２は、道路リンク及びＰＯＩのイメージを表した概念図である。【００２６】
図２の例において、黒丸はＰＯＩを示すマークを表しており、実線は道路リンクを表している。【００２７】
次に、地図データＭ２について説明する。【００２８】
地図データＭ２は、建造物、土地区画、緑地、水系、及び道路幅員等の平面的外形を表現可能な形状データを含んで構成される。【００２９】
ここで、形状データは、建造物又は土地区画の平面的外形（以下「家形」と称する）を表すための座標群を示す形状座標情報（上述した家形データに対応）を含む。当該形状座標情報で示される座標群に含まれる各座標は、例えば経度及び緯度で表される。また、当該形状座標情報で示される座標群は、現実に存在している若しくは過去に存在していた建造物、又は現実に画定されている若しくは過去に画定されていた土地区画の平面的外形に基づいて当該平面的外形を表すための座標群である。当該座標群は、現地調査、又は航空写真等の信頼のおけるデータにより決定されるものであり、極めて精度が高い。【００３０】
図３（Ａ）は、形状座標情報のデータ構造の一例を示す図であり、図３（Ｂ）は、家形の一例を示す図である。図３（Ａ）に示すように、形状座標情報には、座標群中の座標数ｎ、及び座標群に含まれる各座標（ｘ０，ｙ０），（ｘ１，ｙ１），・・・，（ｘｎ-１，ｙｎ-１）が含まれる。例えば、家形が、図３（Ｂ）に示すように６角形である場合、座標数６及び各頂点の座標（ｘ０，ｙ０）〜（ｘ５，ｙ５）が形状座標情報に含まれることになる。かかる各頂点間を、例えば、各座標が格納されたメモリのアドレス順に、線で結ぶことにより、図３（Ｂ）に示すように、家形の輪郭Ｌを表すことができる。かかる家形の輪郭Ｌ上における座標群に含まれる各座標、及び家形の輪郭Ｌ内に含まれる各座標は計算により得られる。【００３１】
図４は、建造物、土地区画、及び道路の一例を表したイメージ図である。図４の例には、複数の家形（例えば、図中“４１”）が表されている。なお、各家形に対応する形状座標情報にはユニークな家形ＩＤが付与されている。そして、演算処理部２は、ＣＰＵが、ＲＯＭ等に記憶されたプログラム（本願の地図情報処理プログラムを含む）を読み出し実行することにより、地図データ読込部（読込手段の一例）２ａ、処理対象選択部（選択手段の一例）２ｂ、道路リンク特定部（道路リンク特定手段の一例）２ｃ、ハウスナンバーレンジ取得部（ハウスナンバーレンジ情報取得手段の一例）２ｄ、ＰＯＩハウスナンバー取得部（ＰＯＩハウスナンバー取得手段の一例）２ｅ、ハウスナンバー算出部（ハウスナンバー算出手段の一例）２ｆ、ハウスナンバー決定部（ハウスナンバー決定手段の一例）２ｇ、及び関連付け情報生成部（関連付け情報生成手段の一例）２ｈ等として機能し、地図情報処理を行うようになっている。なお、かかる地図情報処理においては、特に、ディスプレイ上に地図を表示させて行う必要がないが、場合によっては、地図をディスプレイ上に表示させつつ、オペレータからの操作部３を介した指示を受け付けるようにしてもよい。【００３２】
ここで、図５を用いて、演算処理部２の地図情報処理について説明する。図５は、演算処理部２の地図情報処理の一例を示すフローチャートである。図６乃至図８は、地図情報処理の過程を分かり易く説明するためのイメージ図である。【００３３】
図５の処理は、例えば、オペレータからの操作部３を介した開始指示により開始される。当該処理が開始されると、地図データ読込部２ａは、地図データＭ１と地図データＭ２を記憶部１からＲＡＭに読み込み（ステップＳ１）、同一環境下で処理できるようにする。【００３４】
次いで、処理対象選択部２ｂは、複数の建造物又は土地区画のうち処理対象となる一の建造物又は土地区画の形状座標情報を選択する（ステップＳ２）。例えば、図６に示す家形４１が、選択された形状座標情報により表される家形であるとする。【００３５】
次いで、道路リンク特定部２ｃは、上記選択された形状座標情報に基づいて、当該形状座標情報に対応する建造物又は土地区画に最も近い道路リンクを特定する（ステップＳ３）。ここで、最も近い道路リンクは、例えば、上記選択された形状座標情報で表される家形の重心Ｇから空間検索（例えば、家形の重心の座標を中心とする範囲指定による検索）を行うことにより特定することができる。例えば、空間検索、すなわち範囲指定による検索を行うことにより当該範囲に含まれる座標に基づいて道路リンクを特定することができる。例えば、図６（Ｂ）に示す家形４１に最も近い道路リンクＬ１が特定される。【００３６】
次いで、ハウスナンバーレンジ取得部２ｄは、上記特定した道路リンクに対応する道路リンクデータを抽出し、当該抽出した道路リンクデータが有するハウスナンバーレンジ（例えば、２〜３４）を取得する（ステップＳ４）。ここで、上記特定した道路リンクに対応して抽出される道路リンクデータは、上記ステップＳ３で特定された道路リンクの両端付近の座標情報が含まれる道路リンクデータである。例えば、上記特定された道路リンクの座標情報で示される各座標もしくは各座標を中心とした所定範囲内の各座標が含まれる道路リンクデータが抽出される。【００３７】
次いで、ＰＯＩハウスナンバー取得部２ｅは、上記特定した道路リンクに対応する道路リンクデータに関連付けられた各ＰＯＩデータからＰＯＩのハウスナンバーを取得する（ステップＳ５）。ここで、ＰＯＩは道路リンクの両側にあるが、例えば道路リンクの左側のＰＯＩのハウスナンバーは偶数となっており、当該道路リンクの右側のＰＯＩのハウスナンバーは奇数となっている。このステップＳ５の処理では、特定された道路リンクの、上記選択された形状座標情報で表される家形側にあるＰＯＩのハウスナンバーが取得される。例えば、図６（Ａ）に示す例で道路リンクのStart→Endの向きに対して右側にあるＰＯＩ（破線で囲まれるＰＯＩ）のハウスナンバーＨＮが取得される。これにより、ＰＯＩのハウスナンバーＨＮの配列（例えば、２，４，６，１０，１２・・・）を得ることができる。【００３８】
次いで、ハウスナンバー算出部２ｆは、例えば図７（Ｂ）に示すように、上記選択された形状座標情報により表される家形の重心（重心点）Ｇから上記特定された道路リンクに対して垂線Ｈを引く（ステップＳ６）。なお、当該垂線Ｈは、家形の重心Ｇではなく、当該家形の輪郭上又は当該輪郭内の何れかの地点であっても良い。例えば、図７（Ｂ）に示すように、家形の輪郭上の点Ｘ１又は点Ｘ２から道路リンクに対して垂線を引いてもよい。【００３９】
次いで、ハウスナンバー算出部２ｆは、上記特定された道路リンクに対して引かれた垂線Ｈと当該道路リンクとが交わる地点（以下、「交点」と称する）ＣのハウスナンバーＨＮを、上記取得されたハウスナンバーレンジに基づいて算出する（ステップＳ７）。より具体的には、当該道路リンクの始点と終点間（つまり、ノード間）の全距離に対する、当該道路リンクの始点と交点間の距離の割合に基づきハウスナンバーレンジを按分することによりハウスナンバーが算出される。図７（Ｂ）の例では、交点Ｃは道路リンクＬ１の始点から１８％（上記割合）の地点にあるので、始点ハウスナンバー「２」〜終点ハウスナンバー「３４」であるハウスナンバーレンジを按分すると、この地点のハウスナンバーは「６」（少数点以下切捨）として算出される。【００４０】
次いで、ハウスナンバー決定部２ｇは、上記按分計算により得られたハウスナンバーに基づいて、上記選択された形状座標情報に付与すべきハウスナンバーを決定する。例えば、ハウスナンバー決定部２ｇは、上記按分計算で得られたハウスナンバーと、上記取得されたＰＯＩのハウスナンバーの配列と照合して、上記按分計算で得られたハウスナンバーが適切であるか否かを判断する（ステップＳ８）。【００４１】
例えば、上記按分計算により得られたハウスナンバー「６」に対応する家形４１は、図８（Ｂ）に示すように道路リンクＬ１の始点から数えて３番目にあり、図８（Ａ）に示すように取得されたＰＯＩのハウスナンバーの配列（２，４，６，１０，１２・・・）のうち３番目のハウスナンバーは「６」であるので、この場合、両者が一致するため、上記按分計算で得られたハウスナンバーが適切であると判断される。一方、仮に、例えば、上記按分計算により得られたハウスナンバー「６」に対応する家形４１は道路リンクＬ１の始点から数えて２番目にある場合には、図８（Ａ）に示すように取得されたＰＯＩのハウスナンバーの配列（２，４，６，１０，１２・・・）のうち２番目のハウスナンバーは「４」であるので、両者が一致しないため、上記按分計算で得られたハウスナンバーが適切でないと判断される。【００４２】
また、図８（Ａ）に示すように取得されたＰＯＩのハウスナンバーの場合、そもそも奇数のハウスナンバーはありえないので、この場合も、上記按分計算で得られたハウスナンバーが適切でないと判断される。【００４３】
そして、ハウスナンバー決定部２ｇは、上記按分計算で得られたハウスナンバーが適切であると判断した場合には（ステップＳ８：ＹＥＳ）、上記按分計算で得られたハウスナンバーを、上記選択された形状座標情報に付与すべきハウスナンバーとして決定する（ステップＳ９）。【００４４】
一方、ハウスナンバー決定部２ｇは、上記按分計算で得られたハウスナンバーが適切ないと判断した場合には（ステップＳ８：ＮＯ）、上記按分計算で得られたハウスナンバーと、上記取得されたＰＯＩのハウスナンバーとに基づいて、上記按分計算で得られたハウスナンバーを適切なハウスナンバーに補正し、当該補正されたハウスナンバーを、上記選択された形状座標情報に付与すべきハウスナンバーとして決定する（ステップＳ１０）。例えば、上述したように、上記按分計算により得られたハウスナンバー「６」に対応する家形４１は道路リンクＬ１の始点から数えて２番目にあり、取得されたＰＯＩのハウスナンバーの配列のうち２番目のハウスナンバーが「６」ではなく「４」であるような場合、上記按分計算で得られたハウスナンバー「６」は「４」に補正される。【００４５】
次いで、関連付け情報生成部２ｈは、上記選択された形状座標情報と、上記決定されたハウスナンバーとを関連付ける関連付け情報を生成し、これを関連付け情報データベース１１に登録する（ステップＳ１１）。この関連付け情報には、例えば、家形ＩＤ、形状座標情報、及びハウスナンバーが含まれている。こうして形状座標情報に対し、ハウスナンバーが付与されることになる。【００４６】
次いで、関連付け情報生成部２ｈは、上記選択された形状座標情報と、当該形状座標情報に対して付与されたハウスナンバーを含むＰＯＩデータと、を関連付ける関連付け情報を生成しこれを関連付け情報データベース１１に登録する（ステップＳ１２）。この関連付け情報には、例えば、家形ＩＤとＰＯＩＩＤが含まれる。【００４７】
なお、以上の処理は、処理対象となる全ての形状座標情報について行われる。【００４８】
以上説明したように、上記実施形態によれば、地図情報処理装置Ｓが、選択された形状座標情報により表される家形に最も近い道路リンクに対して、当該家形の例えば重心から引かれた垂線と当該道路リンクとの交点のハウスナンバーを、当該道路リンクに対応する道路リンクデータが有するハウスナンバーレンジに基づき按分計算により算出し、算出したハウスナンバーに基づいて選択された形状座標情報に付与すべきハウスナンバーを決定するように構成したので、２種類の地図データＭ１，Ｍ２を用いて、たとえ地図データＭ１に含まれるＰＯＩ等の建造物又は土地区画を点として表すための点座標を示す点座標情報が正確でない地域においても、時間とコストを大幅に抑えつつ効率良く家形を表すための形状座標情報に対して住所情報としてハウスナンバーを付与することができる。これにより、地図データを、例えば、米国の地図情報提供サイト（サーバ）からクライアント端末に提供した場合にも、ユーザによる住所入力により特定の家形を検索することができる。【００４９】
また、上記道路リンクデータに含まれるハウスナンバーレンジに基づき按分計算により算出されたハウスナンバーを、当該道路リンクデータに関連付けられた各ＰＯＩデータに含まれるＰＯＩのハウスナンバーの配列と照合して補正するように構成したので、現実に割り当てられているハウスナンバーとの整合を図ることができ、家形を表すための形状座標情報に対して付与するハウスナンバーの精度高めることができる。【００５０】
更に、家形を表すための形状座標情報に対して付与されたハウスナンバーを用いて、当該形状座標情報とＰＯＩデータとを関連付けて登録するように構成したので、家形を表すための形状座標情報に対してＰＯＩの有用な情報を付与することができる。これにより、例えば地図情報提供サイトからクライアント端末に対して地図データと共に有用な情報を提供することができる。【００５１】
なお、本実施形態における地図情報処理装置Ｓにより作成される地図データは、上述した他にも、ナビゲーション装置、又は地図にかかる検索装置等に利用することができる。
【図１】
2010092680.tif 000003
【図２】
2010092680.tif 000004
【図３】
2010092680.tif 000005
【図４】
2010092680.tif 000006
【図５】
2010092680.tif 000007
【図６】
2010092680.tif 000008
【図７】
2010092680.tif 000009
【図８】
2010092680.tif 000010
【国際調査報告】
2010092680.tif 000011
2010092680.tif 000012
2010092680.tif 000013
2010092680.tif 000014